(57)【要約】【課題】表示均一性が向上したサイドエッジライト方式の導光板を有する表示装置を提供する。【解決手段】導光板１の入光端面１ａ側に光源２を設け、入光端面１ｂ側に光源３を設けてある。光源２からの光Ｌａは導光板１の反出光面１ｃに設けられた“Ａ”の表示パターンＤＰＡを照射し、光源３からの光Ｌｂは導光板１の反出光面１ｃに設けられた“Ｂ”の表示パターンＤＰＢを照射する。表示パターンＤＰＡ、ＤＰＢの非重複領域には、１対の傾斜面（反射面）を有する直線状溝よりなるクラスタＣ１、Ｃ２を設け、表示パターンＤＰＡ、ＤＰＢの重複領域には、２対の傾斜面（反射面）を有する矩形状（平行四辺形状）溝よりなるクラスタＣ３’を設ける。【選択図】        図１
2016118667.tif 000002
【特許請求の範囲】
【請求項１】
導光板と、
前記導光板の複数の入光端面側に設けられ、出射光の方向が異なる複数の光源と、
前記導光板の反出光面に設けられ、前記各光源の光によって照射され該光を前記導光板の出光面へ反射させる複数の表示パターンと
を具備し、
１個の前記表示パターンのみが存在する非重複領域には、当該表示パターンの光源の出射光の方向に直交する方向の傾斜面を有する直線状溝よりなる第１のクラスタを設け、
２個以上の前記表示パターンが重複して存在する重複領域には、当該重複する各表示パターンの前記光源の出射光の方向に直交する方向の傾斜面を有する各内角が１８０°未満の多角形状溝よりなる第２のクラスタを設けた表示装置。
【請求項２】
２個の前記表示パターンが重複する前記重複領域の前記第２のクラスタの多角形状溝は平行四辺形状溝である請求項１に記載の表示装置。
【請求項３】
ｎ（≧３）個の前記表示パターンが重複する前記重複領域の前記第２のクラスタの多角形状溝はｎ角形状溝である請求項１に記載の表示装置。
【請求項４】
前記第１、第２のクラスタは同一の格子の交点上に設けられた請求項１に記載の表示装置。
【発明の詳細な説明】
【技術分野】
【０００１】
本発明は、サイドエッジライト方式によって導光板を面発光させて表示パターンを表示する表示装置に関する。
【背景技術】
【０００２】
遊技機等の表示装置として、サイドエッジライト方式を用いて導光板を面発光させて導光板に形成された表示パターンを表示する表示装置がある。
【０００３】
図５は導光板を用いた表示装置の表示原理を示す図である。
【０００４】
図５の（Ａ）に示すように、導光板１０１の入光端面１０１ａ側に光源１０２を設け、導光板１０１の反出光面１０１ｂに図５の（Ｂ）に示す三角柱状の微小なドット溝（以下、クラスタという）１０３を形成する。この結果、導光板１０１の入光端面１０１ａに入射した光源１０２からの光Ｌ１０１はクラスタ１０３の傾斜面（反射面）１０３１で全反射して図５の（Ａ）の上方に向って導光板１０１の出光面１０１ｃから出射する。従って、クラスタ１０３を多数配置して表示パターンを形成すると、出光面１０１ｃ側の観察者１０４は多数の微小なクラスタ１０３よりなる表示パターンを視認できる（参照：特許文献１の図１２、特許文献２の図１Ａ）。
【０００５】
上述の表示パターンを複数表示する場合に、１つの導光板にクラスタの傾斜面（反射面）の方向が異なる２つの表示パターンを形成し、２つの光源から２方向の光を入射する表示装置がある（参照：特許文献１、２）。
【０００６】
図６は第１の従来の表示装置を示し、（Ａ）は全体平面図、（Ｂ）は（Ａ）の円ＶＩ内の部分拡大平面図である（参照：特許文献１の図２０、特許文献２の図２Ａ、図２Ｂ）。
【０００７】
図６の（Ａ）に示すように、光源２として導光板１の入光端面１ａ側に複数の発光ダイオード（ＬＥＤ）パッケージ２１、２２、…、２５を１列に設け、また、光源３として導光板１の入光端面１ａに直交する入光端面１ｂ側に複数のＬＥＤパッケージ３１、３２、…、３５を１列に設けてある。ＬＥＤパッケージ２１、２２、…、２５からの光Ｌａは導光板１の反出光面１ｃに設けられた“Ａ”の表示パターンＤＰＡを照射し、また、ＬＥＤパッケージ３１、３２、…、３５からの光Ｌｂは導光板１の反出光面１ｃに設けられた“Ｂ”の表示パターンＤＰＢを照射する。
【０００８】
図６の（Ｂ）に示すごとく、表示パターンＤＰＡは第１の格子の交点上に形成されたＸ方向直線状溝よりなる多数のクラスタＣ１によって構成され、また、表示パターンＤＰＢは第１の格子と異なる第２の格子の交点上に形成されたＹ方向直線状溝よりなる多数のクラスタＣ２によって構成されている。この場合、クラスタＣ１の密度とクラスタＣ２の密度とは同一である。図７の（Ａ）に示すごとく、クラスタＣ１はＸ方向の２つの傾斜面（反射面）Ｓ１Ａを有し、また、図７の（Ｂ）に示すごとく、クラスタＣ２はＹ方向の２つの傾斜面（反射面）Ｓ２Ｂを有する。
【０００９】
図６の（Ｂ）においては、表示パターンＤＰＡと表示パターンＤＰＢとが重複する領域には、クラスタＣ１及びクラスタＣ２の両方が重複しないように同一密度で設けられている。従って、表示パターンＤＰＡと表示パターンＤＰＢとが重複する領域のクラスタの密度は表示パターンが重複していない表示パターンＤＰＡ、ＤＰＢの領域のクラスタの密度の２倍となっている。
【００１０】
図６の（Ａ）、（Ｂ）においては、導光板１の入光端面１ａに入射したＬＥＤパッケージ２１、２２、…、２５からの光Ｌａは表示パターンＤＰＡの各クラスタＣ１の１つのＸ方向傾斜面（反射面）Ｓ１Ａで全反射して導光板１の出光面１ｄから出射し、これにより、出光面１ｄ側における観察者は表示パターンＤＰＡを視認できる。同様に、導光板１の入光端面１ｂに入射したＬＥＤパッケージ３１、３２、…、３５からの光Ｌｂは表示パターンＤＰＢの各クラスタＣ２の１つのＹ方向傾斜面（反射面）Ｓ２Ｂで全反射して導光板１の出光面１ｄから出射し、これにより、出光面１ｄ側における観察者は表示パターンＤＰＢを視認できる。
【００１１】
図８は第２の従来の表示装置を示し、（Ａ）は全体平面図、（Ｂ）は（Ａ）の円ＶＩＩＩ内の部分拡大平面図である（参照：特許文献１の図１０、図１１の（Ｄ））。
【００１２】
図８の（Ｂ）に示すごとく、図８の（Ａ）の“Ａ”の表示パターンＤＰＡと“Ｂ”の表示パターンＤＰＢとの重複する領域には、クラスタＣ１、Ｃ２と異なるクラスタＣ３が設けられている。この場合、クラスタＣ３もクラスタＣ１、Ｃ２と同一の格子の交点上に設けられ、従って、クラスタＣ３の密度はクラスタＣ１、Ｃ２の密度と同一である。
【００１３】
図９の（Ａ）、（Ｂ）に示すごとく、クラスタＣ１、Ｃ２は、図７の（Ａ）、（Ｂ）のクラスタＣ１、Ｃ２と同一である。他方、図９の（Ｃ）に示すごとく、クラスタＣ３は、Ｘ方向溝及びＹ方向溝が直交交差してなる十字形状をなしている。従って、Ｘ方向溝の傾斜面（反射面）Ｓ３ＡとＹ方向溝の傾斜面（反射面）Ｓ３Ｂとは直交しているので互いに影響ない。この結果、表示パターンＤＰＡは各クラスタＣ１のＸ方向傾斜面（反射面）Ｓ１Ａ及び各クラスタＣ３のＸ方向傾斜面（反射面）Ｓ３Ａよりなり、また、表示パターンＤＰＢは各クラスタＣ２のＹ方向傾斜面（反射面）Ｓ１Ｂ及び各クラスタＣ３のＹ方向傾斜面（反射面）Ｓ３Ｂよりなる。
【００１４】
図８においては、導光板１の入光端面１ａに入射したＬＥＤパッケージ２１、２２、…、２５からの光Ｌａは表示パターンＤＰＡの各クラスタＣ１の１つのＸ方向傾斜面（反射面）Ｓ１Ａ及び各クラスタＣ３の１つのＸ方向傾斜面（反射面）Ｓ３Ａで全反射して導光板１の出光面１ｄから出射し、これにより、出光面１ｄ側における観察者は表示パターンＤＰＡを視認できる。同様に、導光板１の入光端面１ｂに入射したＬＥＤパッケージ３１、３２、…、３５からの光Ｌｂは表示パターンＤＰＢの各クラスタＣ２の１つのＹ方向傾斜面（反射面）Ｓ２Ｂ及び各クラスタＣ３の１つのＹ方向傾斜面（反射面）Ｓ３Ｂで全反射して導光板１の出光面１ｄから出射し、これにより、出光面１ｄ側における観察者は表示パターンＤＰＢを視認できる。
【先行技術文献】
【特許文献】
【００１５】
【特許文献１】特開２００６−７５３６２号公報
【特許文献２】特表２００３−５１９８１０号公報（特許第４７４１１４２号）
【発明の概要】
【発明が解決しようとする課題】
【００１６】
しかしながら、上述の第１の従来の表示装置においては、“Ａ”の表示パターンＤＰＡと“Ｂ”の表示パターンＤＰＢとが重複する領域においては、クラスタＣ１、Ｃ２の両方が異なる格子の交点上に設けられているので、クラスタの密度が他の領域より大きくなって図６の（Ｂ）に示す頂点Ｔの数が増大して頂点Ｔからの表示に寄与しない雑光が増大し、この結果、表示均一性が劣るという課題がある。
【００１７】
また、上述の第２の従来の表示装置においては、“Ａ”の表示パターンＤＰＡと“Ｂ”の表示パターンＤＰＢとが重複する領域のクラスタＣ３もクラスタＣ１、Ｃ２の同一の格子の交点上に設けられているので、クラスタの密度は大きくならない。しかしながら、十字形状のクラスタＣ３には図８の（Ｂ）、図９の（Ｃ）に示す頂点Ｔが依然として多く存在するので、他の領域に比べて頂点Ｔからの表示に寄与しない雑光が増大し、この結果、やはり、表示均一性が劣るという課題がある。特に、クラスタＣ３の中心部の溝の内角αは１８０°より大きく構成され、この結果、頂点Ｔの数が増加することで雑光が増大する。さらに、１つの導光板に傾斜面（反射面）の３つ以上の異なる表示パターンを形成し、異なる光源から３方向以上の光を入射する表示装置には適用することができないという課題もある。
【課題を解決するための手段】
【００１８】
上述の課題を解決するために、本発明に係る表示装置は、導光板と、導光板の複数の入光端面側に設けられ、出射光の方向が異なる複数の光源と、導光板の反出光面に設けられ、各光源の光によって照射されこれらの光を導光板の出光面へ反射させる複数の表示パターンとを具備し、１個の表示パターンのみが存在する非重複領域には、当該表示パターンの光源の出射光の方向に直交する方向の傾斜面を有する直線状溝よりなる第１のクラスタを設け、２個以上の表示パターンが重複して存在する重複領域には、当該重複する各表示パターンの光源の出射光の方向に直交する方向の傾斜面を有する各内角が１８０°未満の多角形状溝よりなる第２のクラスタを設けたものである。
【発明の効果】
【００１９】
本発明によれば、すべてのクラスタを同一の格子の交点上に設けることができ、しかも表示パターンが重複して存在する重複領域に設けられた多角形状溝よりなるクラスタは、溝の内角αが１８０°より小さいので、頂点が少なく、表示に寄与しない雑光が少なくなり、この結果、表示均一性を向上できる。また、三角形状溝以上の多角形状溝を用いることによって３つ以上の異なる表示パターンを導光板に形成できる。
【図面の簡単な説明】
【００２０】
【図１】本発明に係る表示装置の第１の実施の形態を示し、（Ａ）は全体平面図、（Ｂ）は（Ａ）の円Ｉ内の部分拡大平面図である。
【図２】図１のクラスタの詳細を示す斜視図である。
【図３】本発明に係る表示装置の第２の実施の形態を示し、（Ａ）は全体平面図、（Ｂ）は（Ａ）の円ＩＩＩ内の部分拡大平面図である。
【図４】図３のクラスタの詳細を示す斜視図である。
【図５】導光板を用いた表示装置の表示原理を示す図であって、（Ａ）は全体断面図、（Ｂ）は（Ａ）のクラスタの斜視図である。
【図６】第１の従来の表示装置を示し、（Ａ）は全体平面図、（Ｂ）は（Ａ）の円ＶＩ内の部分拡大平面図である。
【図７】図６のクラスタの詳細を示す斜視図である。
【図８】第２の従来の表示装置を示し、（Ａ）は全体平面図、（Ｂ）は（Ａ）の円ＶＩＩＩ内の部分拡大平面図である。
【図９】図８のクラスタの詳細を示す斜視図である。
【発明を実施するための形態】
【００２１】
図１は本発明に係る表示装置の第１の実施の形態を示し、（Ａ）は全体平面図、（Ｂ）は（Ａ）の円Ｉ内の部分拡大平面図である。
【００２２】
図１の（Ａ）、（Ｂ）においては、図８のクラスタＣ３の代りに、クラスタＣ３’を設けてある。この場合も、クラスタＣ３’はクラスタＣ１、Ｃ２と同一の格子の交点に設けられ、従って、クラスタＣ３’の密度はクラスタＣ１、Ｃ２の密度と同一となっている。図２の（Ａ）、（Ｂ）に示すごとく、クラスタＣ１、Ｃ２は図９の（Ａ）、（Ｂ）に示すクラスタＣ１、Ｃ２と同一である。他方、図２の（Ｃ）に示すごとく、クラスタＣ３’は、矩形状溝（広くは、平行四辺形状溝）よりなり、２つのＸ方向傾斜面（反射面）Ｓ３Ａ’と２つのＹ方向傾斜面（反射面）Ｓ３Ｂ’とは直交している。この結果、表示パターンＤＰＡはクラスタＣ１のＸ方向傾斜面（反射面）Ｓ１Ａ及びクラスタＣ３’のＸ方向傾斜面（反射面）Ｓ３Ａ’よりなり、また、表示パターンＤＰＢはクラスタＣ２のＹ方向傾斜面（反射面）Ｓ２Ｂ及びクラスタＣ３’のＹ方向傾斜面（反射面）Ｓ３Ｂ’よりなる。
【００２３】
図１の（Ａ）、（Ｂ）においては、導光板１の入光端面１ａに入射したＬＥＤパッケージ２１、２２、…、２５からの光Ｌａは表示パターンＤＰＡのクラスタＣ１の１つのＸ方向傾斜面（反射面）Ｓ１Ａ及びクラスタＣ３’の１つのＸ方向傾斜面（反射面）Ｓ３Ａ’で全反射して導光板１の出光面１ｄから出射し、これにより、出光面１ｄ側における観察者は表示パターンＤＰＡを視認できる。また、同様に、導光板１の入光端面１ｂに入射したＬＥＤパッケージ３１、３２、…、３５からの光Ｌｂは表示パターンＤＰＢのクラスタＣ２の１つのＹ方向傾斜面（反射面）Ｓ２Ｂ及びクラスタＣ３’の１つのＹ方向傾斜面（反射面）Ｓ３Ｂ’で全反射して導光板１の出光面１ｄから出射し、これにより、出光面１ｄ側における観察者は表示パターンＤＰＢを視認できる。
【００２４】
図１、図２に示す表示装置においては、２つの光源２、３からの光を受けて光を全反射するためのクラスタＣ３’の密度はクラスタＣ１、Ｃ２の密度と同一であり、また、クラスタＣ３’は、溝の内角αが１８０°未満であるので、頂点Ｔの数が少なくなり、表示に寄与しない雑光が少なくなり、この結果、表示均一性を向上できる。
【００２５】
尚、図１、図２においては、光源２が設けられた導光板１の入光端面１ａと光源３が設けられた導光板１の入光端面１ｂとは直交しているが、溝の内角αが１８０°未満である限り、光源２が設けられた導光板１の入光端面１ａと光源３が設けられた導光板１の入光端面１ｂとは直交してなくともよい。この場合には、クラスタＣ３’は矩形状溝ではなく平行四辺形状溝となる。
【００２６】
図３は本発明に係る表示装置の第２の実施の形態を示し、（Ａ）は全体平面図、（Ｂ）は（Ａ）の円ＩＩＩ内の部分拡大平面図である。
【００２７】
図３の（Ａ）、（Ｂ）においては、光源１２として導光板１１の入光端面１１ａ側に複数のＬＥＤパッケージ１２１、１２２、１２３を１列に設け、また、光源１３として導光板１１の入光端面１１ｂ側に複数のＬＥＤパッケージ１３１、１３２、１３３を１列に設け、さらに、光源１４として導光板１１の入光端面１１ｃ側に複数のＬＥＤパッケージ１４１、１４２、１４３を１列に設けてある。入光端面１１ａ、１１ｂ、１１ｃは装置中心に対して１２０°づつずれている。ＬＥＤパッケージ１２１、１２２、１２３からの光Ｌａは導光板１１の反出光面１１ｄに設けられた“Ａ”の表示パターンＤＰＡを照射し、また、ＬＥＤパッケージ１３１、１３２、１３３からの光Ｌｂは導光板１１の反出光面１１ｄに設けられた“Ｂ”の表示パターンＤＰＢを照射し、さらに、ＬＥＤパッケージ１４１、１４２、１４３からの光Ｌｃは導光板１１の反出光面１１ｄに設けられた“Ｃ”の表示パターンＤＰＣを照射する。
【００２８】
図３の（Ｂ）に示すごとく、表示パターンＤＰＡ、ＤＰＢ、ＤＰＣはクラスタＣ１１、Ｃ１２、Ｃ１３、Ｃ１４、Ｃ１５、Ｃ１６及びＣ１７によって構成されている。クラスタＣ１１、Ｃ１２、Ｃ１３、Ｃ１４、Ｃ１５、Ｃ１６及びＣ１７は所定の格子の交点上に形成されており、従って、クラスタの密度は一定で均一である。
【００２９】
クラスタＣ１１は“Ａ”の表示パターンＤＰＡのみの領域に形成される。すなわち、図４の（Ａ）に示すごとく、クラスタＣ１１はＸ方向直線状溝よりなり、Ｘ方向の２つの傾斜面（反射面）Ｓ１１Ａを有する。傾斜面（反射面）Ｓ１１Ａの一方はＬＥＤパッケージ１２１、１２２、１２３からの光Ｌａによって照射される。
【００３０】
クラスタＣ１２は“Ｂ”の表示パターンＤＰＢのみの領域に形成される。すなわち、図４の（Ｂ）に示すごとく、クラスタＣ１２はＸ方向の１２０°反時計回りのＤ（＋１２０°）方向直線状溝よりなり、Ｄ（＋１２０°）方向の２つの傾斜面（反射面）Ｓ１２Ｂを有する。傾斜面（反射面）Ｓ１２Ｂの一方はＬＥＤパッケージ１３１、１３２、１３３からの光Ｌｂによって照射される。
【００３１】
クラスタＣ１３は“Ｃ”の表示パターンＤＰＣのみの領域に形成される。すなわち、図４の（Ｃ）に示すごとく、クラスタＣ１３はＸ方向の１２０°時計回りのＤ（−１２０°）方向直線状溝よりなり、Ｄ（−１２０°）方向の２つの傾斜面（反射面）Ｓ１３Ｃを有する。傾斜面（反射面）Ｓ１３Ｃの一方はＬＥＤパッケージ１４１、１４２、１４３からの光Ｌｃによって照射される。
【００３２】
クラスタＣ１４は“Ｂ”の表示パターンＤＰＢ及び“Ｃ”の表示パターンＤＰＣが重複する領域に形成される。すなわち、図４の（Ｄ）に示すごとく、クラスタＣ１４は菱形状（広くは、平行四辺形状）溝よりなり、Ｄ（＋１２０°）方向の２つの傾斜面（反射面）Ｓ１４Ｂ及びＤ（−１２０°）方向の２つの傾斜面（反射面）Ｓ１４Ｃを有する。傾斜面（反射面）Ｓ１４Ｂの一方はＬＥＤパッケージ１３１、１３２、１３３からの光Ｌｂによって照射され、また、傾斜面（反射面）Ｓ１４Ｃの一方はＬＥＤパッケージ１４１、１４２、１４３からの光Ｌｃによって照射される。
【００３３】
クラスタＣ１５は“Ｃ”の表示パターンＤＰＣ及び“Ａ”の表示パターンＤＰＡが重複する領域に形成される。すなわち、図４の（Ｅ）に示すごとく、クラスタＣ１５は菱形状（広くは、平行四辺形状）溝よりなり、Ｄ（−１２０°）方向の２つの傾斜面（反射面）Ｓ１５Ｃ及びＸ方向の２つの傾斜面（反射面）Ｓ１５Ｃを有する。傾斜面（反射面）Ｓ１５Ｃの一方はＬＥＤパッケージ１４１、１４２、１４３からの光Ｌｃによって照射され、また、傾斜面（反射面）Ｓ１５Ａの一方はＬＥＤパッケージ１２１、１２２、１２３からの光Ｌａによって照射される。
【００３４】
クラスタＣ１６は“Ａ”の表示パターンＤＰＡ及び“Ｂ”の表示パターンＤＰＢが重複する領域に形成される。すなわち、図４の（Ｆ）に示すごとく、クラスタＣ１６は菱形状（広くは、平行四辺形状）溝よりなり、Ｘ方向の２つの傾斜面（反射面）Ｓ１６Ａ及びＤ（＋１２０°）方向の２つの傾斜面（反射面）Ｓ１６Ｂを有する。傾斜面（反射面）Ｓ１６Ａの一方はＬＥＤパッケージ１２１、１２２、１２３からの光Ｌａによって照射され、また、傾斜面（反射面）Ｓ１６Ｂの一方はＬＥＤパッケージ１３１、１３２、１３３からの光Ｌｂによって照射される。
【００３５】
クラスタＣ１７は、“Ａ”の表示パターンＤＰＡ、“Ｂ”の表示パターンＤＰＢ及び“Ｃ”の表示パターンＤＰＣが重複する領域に形成される。すなわち、図４の（Ｇ）に示すごとく、クラスタＣ１７は三角形状溝よりなり、Ｘ方向の１つの傾斜面（反射面）Ｓ１７Ａ、Ｄ（＋１２０°）方向の１つの傾斜面（反射面）Ｓ１７Ｂ及びＤ（−１２０°）方向の１つの傾斜面（反射面）Ｓ１７Ｃ    を有する。傾斜面（反射面）Ｓ１７ＡはＬＥＤパッケージ１２１、１２２、１２３からの光Ｌａによって照射され、また、傾斜面（反射面）Ｓ１４ＢはＬＥＤパッケージ１３１、１３２、１３３からの光Ｌｂによって照射され、さらに、傾斜面（反射面）Ｓ１４ＣはＬＥＤパッケージ１４１、１４２、１４３からの光Ｌｃによって照射される。
【００３６】
図３の（Ａ）、（Ｂ）においては、導光板１１の入光端面１１ａに入射したＬＥＤパッケージ１２１、１２２、１２３からの光Ｌａは、表示パターンＤＰＡのクラスタＣ１１の１つの傾斜面（反射面）Ｓ１１Ａ、クラスタＣ１５の１つの傾斜面（反射面）Ｓ１５Ａ、クラスタＣ１６の１つの傾斜面（反射面）Ｓ１６Ａ及びクラスタＣ１７の傾斜面（反射面）Ｓ１７Ａで全反射して導光板１１の出光面１１ｄから出射し、これにより、出光面１１ｄ側における観察者は表示パターンＤＰＡを視認できる。また、導光板１１の入光端面１１ｂに入射したＬＥＤパッケージ１３１、１３２、１３３からの光Ｌｂは、表示パターンＤＰＢのクラスタＣ１２の１つの傾斜面（反射面）Ｓ１２Ｂ、クラスタＣ１４の１つの傾斜面（反射面）Ｓ１４Ｂ、クラスタＣ１６の１つの傾斜面（反射面）Ｓ１６Ｂ及びクラスタＣ１７の傾斜面（反射面）Ｓ１７Ｂで全反射して導光板１１の出光面１１ｄから出射し、これにより、出光面１１ｄ側における観察者は表示パターンＤＰＢを視認できる。さらに、導光板１１の入光端面１１ｃに入射したＬＥＤパッケージ１４１、１４２、１４３からの光Ｌｃは、表示パターンＤＰＣのクラスタＣ１３の１つの傾斜面（反射面）Ｓ１３Ｃ、クラスタＣ１４の１つの傾斜面（反射面）Ｓ１４Ｃ、クラスタＣ１５の１つの傾斜面（反射面）Ｓ１５Ｃ及びクラスタＣ１７の傾斜面（反射面）Ｓ１７Ｃで全反射して導光板１１の出光面１１ｄから出射し、これにより、出光面１１ｄ側における観察者は表示パターンＤＰＣを視認できる。
【００３７】
図３、図４に示す表示装置においては、２つの光源１３、１４；１４、１２；１２，１３からの光を受けて光を全反射するためのクラスタＣ１４、Ｃ１５、Ｃ１６の密度はクラスタＣ１１、Ｃ１２、Ｃ１３の密度と同一であり、また、クラスタＣ１４、Ｃ１５、Ｃ１６には、頂点Ｔの数が少なく、また、溝の内角αも１８０°未満であるので、表示に寄与しない雑光が少なくなり、この結果、表示均一性を向上できる。同様に、３つの光源１２、１３、１４からの光を受けて光を全反射するためのクラスタＣ１７の密度もクラスタＣ１１、Ｃ１２、Ｃ１３の密度と同一であり、また、クラスタＣ１７は、溝の内角αが１８０°であるので、頂点Ｔの数が少なく、表示に寄与しない雑光が少なくなり、この結果、表示均一性を向上できる。
【００３８】
尚、図３、図４においては、光源１２が設けられた導光板１１の入光端面１１ａ、光源１３が設けられた導光板１１の入光端面１１ｂ及び光源１４が設けられた導光板１１の入光端面１１ｃは１２０°づつ等角でずれているが、他の非等角度でもよい。
【００３９】
また、図１、図２、図３、図４のクラスタＣ１、Ｃ２、Ｃ３’、Ｃ１１〜Ｃ１６においては、各光に対して１対の傾斜面（反射面）を設けてあるが、光の入射方向に対向する一方の傾斜面（反射面）のみ設ければよく、他方の傾斜面（反射面）は垂直面でもよい。さらに、クラスタＣ１、Ｃ２、Ｃ３’、Ｃ１１〜Ｃ１６の傾斜面（反射面）は全反射を利用しているが、溝に反射層を形成し、この反射層の反射を利用してもよい。
【００４０】
このように、上述の実施の形態においては、１つの光源（ＬＥＤパッケージ）から光を受けて全反射するためのクラスタは光の方向に垂直な傾斜面（反射面）を有し、また、２つの光源（ＬＥＤパッケージ）から光を受けて全反射するためのクラスタは各光の方向に垂直な傾斜面（反射面）を有する矩形状溝あるいは菱形状溝（広くは、平行四辺形状溝）をなし、さらに、３つの光源（ＬＥＤパッケージ）から光を受けて全反射するためのクラスタは各光の方向に垂直な傾斜面（反射面）を有する三角形状溝をなしている。尚、一般に、ｎ（ｎ≧３）個の光源（ＬＥＤパッケージ）から光を受けて全反射するためのクラスタは、各光の方向に垂直な傾斜面（反射面）を有するｎ角形状溝をなしていればよい。
【００４１】
さらに、本発明は上述の実施の形態の目的の範囲内のいかなる変更にも適用し得る。
【符号の説明】
【００４２】
１、１１：導光板
１ａ、１ｂ、１１ａ、１１ｂ、１１ｃ：入光端面
１ｃ、１１ｄ：反出光面
１ｄ、１１ｅ：出光面
２、３、１２、１３、１４：光源
２１、２２、…、２５、３１、３２、…、３５、１２１、１２２、１２３、１３１、１３２、１３３、１４１、１４２、１４３：ＬＥＤパッケージ
Ｌａ、Ｌｂ、Ｌｃ：光
Ｃ１、Ｃ２、Ｃ３、Ｃ３’、Ｃ１１、Ｃ１２、…、Ｃ１７：クラスタ
Ｓ１Ａ、Ｓ２Ｂ、Ｓ３Ａ、Ｓ３Ｂ、Ｓ３Ａ’、Ｓ３Ｂ’、Ｓ１１Ａ、Ｓ１２Ｂ、Ｓ１３Ｃ、Ｓ１４Ｂ、Ｓ１４Ｃ、Ｓ１５Ｃ、Ｓ１５Ａ、Ｓ１６Ａ、Ｓ１６Ｂ、Ｓ１７Ａ、Ｓ１７Ｂ、Ｓ１７Ｃ：傾斜面（反射面）
１０１：導光板
１０１ａ：入光端面
１０１ｂ：反出光面
１０１ｃ：出光面
１０２：光源
１０３：クラスタ
１０３１：傾斜面（反射面）
１０４：観察者
Ｌ１０１：光
Ｔ：頂点
α：溝の内角
【図１】
2016118667.tif 000003
【図２】
2016118667.tif 000004
【図３】
2016118667.tif 000005
【図４】
2016118667.tif 000006
【図５】
2016118667.tif 000007
【図６】
2016118667.tif 000008
【図７】
2016118667.tif 000009
【図８】
2016118667.tif 000010
【図９】
2016118667.tif 000011